(57)【要約】【課題】  長期に亘り未使用であった閉塞蓋を取り付けた際であっても、室内におけるデザイン性を損ねることなく、回動位置を指示する目盛り等を常時所定位置に配置させ、閉塞蓋を容易に着脱することのできるスリーブ装置を提供する。【解決手段】基体と、前記基体に着脱可能とした閉塞蓋とからなり、前記閉塞蓋は、前記基体の内周に挿通される筒状部を有し、前記基体の内周と前記筒状部の外周に互いの掛止手段を備え、前記掛止手段は、前記基体と前記閉塞蓋との相対回動に伴い移動する膨出部と案内レールからなり、前記案内レールには、前記閉塞蓋が前面側へ移動するよう前記膨出部を摺動させる傾斜部を備えるレール部と、前記レール部の終端に前面側に突出する第１突起部と、前記レール部から後面側に突出する第２突起部と、前記膨出部が当接して前記閉塞蓋が前面側へ移動するのを規制する掛止面とが設けられることを特徴とするスリーブ装置。【選択図】  図１
2013217417.tif 000002
【特許請求の範囲】
【請求項１】
基体と、
前記基体に着脱可能とした閉塞蓋とからなり、
前記閉塞蓋は、前記基体の内周に挿通される筒状部を有し、
前記基体の内周と前記筒状部の外周に互いの掛止手段を備え、
前記掛止手段は、前記基体と前記閉塞蓋との相対回動に伴い移動する膨出部と案内レールからなり、
前記案内レールには、前記閉塞蓋が前面側へ移動するよう前記膨出部を摺動させる傾斜部を備えるレール部と、前記レール部の終端に前面側に突出する第１突起部と、前記レール部から後面側に突出する第２突起部と、前記膨出部が当接して前記閉塞蓋が前面側へ移動するのを規制する掛止面とが設けられることを特徴とするスリーブ装置。
【請求項２】
前記閉塞蓋の閉状態において、前記基体と前記閉塞蓋との間に設けられ、前記閉塞蓋により押圧され弾性変形するリング部材の復元力により、前記膨出部が前記掛止面に当接する請求項１に記載のスリーブ装置。
【請求項３】
前記閉塞蓋に設けられる鍔部は、前記基体に設けられる鍔部を覆設するとともに、前記基体の鍔部との間に段差を有する請求項１又は請求項２に記載のスリーブ装置。
【発明の詳細な説明】
【技術分野】
【０００１】
本発明は、建物における壁面に設けられる貫通孔に挿通される配管、配線等を保護するスリーブ装置に関するものである。
【背景技術】
【０００２】
従来より、建物における壁面に設けられる貫通孔に挿通される配管、配線等を保護するスリーブ装置が公知である。例えば、雌ネジを有して壁面に設置される支持具本体に対して、雄ネジを有する閉塞蓋を螺合させ、壁面に設けられる貫通孔を閉塞し、室内と室外とを遮断するスリーブ装置が公知である（特許文献１参照）。
【先行技術文献】
【特許文献】
【０００３】
【特許文献１】特許第３４５１２２２号
【発明の概要】
【発明が解決しようとする課題】
【０００４】
上記構造では、螺合によって着脱させるので、容易に閉塞蓋の着脱作業を行うことができず、使用者における着脱作業は煩雑なものであった。また、上記構造では、支持具本体における鍔部に回動位置を指示する目盛り等が表示されており、支持具本体よりも径の小さい閉塞蓋を用いて閉塞させるものである。スリーブ内部に配管等が収容されている状態では、閉塞蓋は取り外されて使用されるので、長期に亘る使用により支持具本体のみが変色し、再度閉塞蓋を取り付ける際には、支持具本体と閉塞蓋の配色が相違し、室内におけるデザイン性を損ねる虞がある。
【０００５】
更に、スリーブ装置を設置した室内におけるデザイン性を損なわないよう、支持具本体における鍔部を小さく設計した際には、回動位置を指示する目盛り等を閉塞蓋に表示させる必要がある。しかしながら、螺合によって着脱させるものにあっては、作業者における回動調整のばらつきにより、閉塞蓋の目盛り等の表示が傾く為、デザイン性を損ねる虞がある。
【０００６】
そこで、本発明はこのような問題点を解決するものであって、長期に亘り未使用であった閉塞蓋を取り付けた際であっても、室内におけるデザイン性を損ねることなく、回動位置を指示する目盛り等を常時所定位置に配置させ、閉塞蓋を容易に着脱することのできるスリーブ装置を提供することを課題とする。
【課題を解決するための手段】
【０００７】
前記問題点を解決するために、本発明の請求項１に記載の発明のスリーブ装置は、基体と、前記基体に着脱可能とした閉塞蓋とからなり、前記閉塞蓋は、前記基体の内周に挿通される筒状部を有し、前記基体の内周と前記筒状部の外周に互いの掛止手段を備え、前記掛止手段は、前記基体と前記閉塞蓋との相対回動に伴い移動する膨出部と案内レールからなり、前記案内レールには、前記閉塞蓋が前面側へ移動するよう前記膨出部を摺動させる傾斜部を備えるレール部と、前記レール部の終端に前面側に突出する第１突起部と、前記レール部から後面側に突出する第２突起部と、前記膨出部が当接して前記閉塞蓋が前面側へ移動するのを規制する掛止面とが設けられることを特徴とするものである。
【０００８】
また、本発明の請求項２に記載の発明のスリーブ装置は、請求項１に記載のスリーブ装置において、前記閉塞蓋の閉状態において、前記基体と前記閉塞蓋との間に設けられ、前記閉塞蓋により押圧され弾性変形するリング部材の復元力により、前記膨出部が前記掛止面に当接するものである。
【０００９】
また、本発明の請求項３に記載の発明のスリーブ装置は、請求項１又は請求項２に記載のスリーブ装置において、前記閉塞蓋に設けられる鍔部は、前記基体に設けられる鍔部を覆設するとともに、前記基体の鍔部との間に段差を有するものである。
【発明の効果】
【００１０】
本発明のスリーブ装置では、基体における案内レールにレール部を設け、閉塞蓋を回動させることにより、閉塞蓋の膨出部を摺動させることで、基体に対して閉塞蓋を前後方向へ可動させるので、使用者は目視で確認しながら容易に作業を行うことができる。
【００１１】
また、案内レールは、閉塞蓋の膨出部が当接する第１突起部及び第２突起部を有することから、使用者は閉塞蓋における開状態及び閉状態の回動停止位置を確認することができる。
【００１２】
更に、閉塞蓋の鍔部は、基体の鍔部を覆設し、且つ、鍔部との間に段差を有するように設けられるので、長期に亘り未使用であった閉塞蓋を基体に取り付けた際であっても、基体との配色が相違することもなくなり、室内におけるデザイン性を損なうこともない。また、閉塞蓋の開閉によっても、鍔部が壁面に当接しない為、壁面を傷つけることもなくなる。
【図面の簡単な説明】
【００１３】
【図１】本発明の実施例におけるスリーブ装置の使用状態の説明図である。
【図２】本発明の実施例におけるスリーブ装置の構成部品の斜視図である。
【図３】本発明の実施例におけるスリーブ装置の基体の正面図である。
【図４】本発明の実施例におけるスリーブ装置の図３のＡ−Ａ断面図である。
【図５】本発明の実施例におけるスリーブ装置の閉塞蓋の正面図である。
【図６】本発明の実施例におけるスリーブ装置の図５のＢ−Ｂ断面図である。
【図７】本発明の実施例におけるスリーブ装置の閉塞蓋を全閉した状態説明図である。
【図８】本発明の実施例におけるスリーブ装置の閉塞体を３０度回動させた状態説明図である。
【図９】本発明の実施例におけるスリーブ装置の閉塞体を６０度回動させた状態説明図である。
【図１０】本発明の実施例におけるスリーブ装置の閉塞体を全開した状態説明図である。
【発明を実施するための形態】
【００１４】
以下、本発明の実施の形態におけるスリーブ装置を図面に基づいて説明する。当該スリーブ装置において、室内側に露出する鍔部を有する方向を当該装置の前面とし、建物の壁面側であって鍔部を有しない方向を当該装置の後面とする。
【実施例】
【００１５】
本発明に係るスリーブ装置は、図１に示すように、建物の壁面Ｗに設けられる貫通孔Ｗ１に嵌合されるものである。スリーブ装置は、案内レール２０を備える基体１０と、閉塞蓋３０と、リング部材４０とから構成される。
【００１６】
基体１０は、建物の壁面Ｗに設けられる貫通孔Ｗ１に嵌合されるものである。基体１０は、図２から図４に示すように、筒状体１１と、環状部１３と、鍔部１４とを備えており、例えば合成樹脂等で成形される。
【００１７】
筒状体１１は、略円筒状に形成されており、当該軸方向に貫通孔１２を有してなる。開口における一端部には、リング部材４０を設置する為の環状部１３が筒状体１１の外周面から外径方向に突出して設けられる。また、環状部１３から更に外径方向には、鍔部１４が延設して設けられる。基体１０において、鍔部１４を有する方向を基体１０の前面とし、鍔部１４を有しない方向を基体１０の後面とする。
【００１８】
鍔部１４を有する側における開口近郊の内周面には、掛止手段となる複数の案内レール２０が内径方向に突出して設けられる。本実施例においては、３つの案内レール２０が等間隔に設けられる。図３に示すように、案内レール２０は内周面に沿って円弧状に形成され、案内レール２０が占有する角度αは１０５度とされる。そして、隣接する案内レール２０間の角度βは１５度とされる。
【００１９】
案内レール２０は、図４に示すように、傾斜部２１及び平坦部２２からなるレール部、第１突起部２３及び第２突起部２４からなる突起部とから構成される。案内レール２０が占有する角度αは、傾斜部２１の端部から第１突起部２３の端部までの領域とされる。当該角度α及びβを変更することで、案内レール２０の大きさ、個数、隣接する案内レール２０の間隔等を変更することができる。
【００２０】
レール部は、傾斜部２１と平坦部２２とから構成される。レール部は、閉塞蓋３０を回動させた際、後述する閉塞蓋３０の膨出部３４を当該周面上に沿って摺動させるものである。
【００２１】
傾斜部２１は、内周面において前面側へ向かって緩やかに傾斜する周面から形成される。例えば、略直線状であってもよいし、曲線状であってもよいものである。そして、傾斜部２１の終端部には、平坦部２２が延設して形成される。平坦部２２は、基体１０における当該軸方向と直交する周面からなる。レール部は、傾斜部２１又は平坦部２２のいずれか一方のみから形成することもできるし、傾斜部２１と平坦部２２とを適宜複数組み合わせることもできる。
【００２２】
突起部は、第１突起部２３と第２突起部２４とから構成される。突起部は、閉塞蓋３０を回動させた際、後述する閉塞蓋３０の膨出部３４が当接することで、使用者に閉塞蓋３０の回動停止位置を確認させるものである。突起部の配置位置により、閉塞蓋３０の回動停止位置を調整することができる。
【００２３】
第１突起部２３は、平坦部２２の端部であって、レール部の終端となる位置に鍔部１４を有する前面側へ向けて形成される。また、第２突起部２４は、レール部から後面側へ向けて形成される。
【００２４】
また、平坦部２２及び第１突起部２３の後面側は、後述する閉塞蓋３０の膨出部３４を収容する収容部２５とされる。平坦部２２及び第１突起部２３における後面側の周面は、後述する閉塞蓋３０の膨出部３４が当接する掛止面２６とされる。すなわち、第１突起部２３と第２突起部２４は、内周面上において、望ましくは後述する膨出部３４の略外形分を離間して設けられる。
【００２５】
閉塞蓋３０は、基体１０に挿通され、掛止されるものである。閉塞蓋３０は、図５及び図６に示すように、筒状部３１と、閉塞部３２と、鍔部３３とを備えており、例えば合成樹脂等で成形される。
【００２６】
筒状部３１は、略円筒状に形成され、基体１０における貫通孔１２に挿通できる形状とされる。筒状部３１における当該軸方向の一端部には、当該一端部を塞ぐようにして、断面略コ字状の閉塞部３２が設けられる。また、閉塞部３２の両端部は、筒状部３１の外周面から外形方向に突出して設けられる。更に、閉塞部３２の両端部から外径方向へ鍔部３３が延設して設けられる。鍔部３３は、基体１０における鍔部１４を覆設するように鍔部１４より外形を大きくして形成される。閉塞蓋３０において、鍔部３３を有する方向を閉塞蓋３０の前面とし、鍔部３３を有しない方向を閉塞蓋３０の後面とする。
【００２７】
鍔部３３を有しない側における筒状部３１の後面の外周面には、掛止手段となる複数の膨出部３４が外径方向に突出して設けられる。本実施例においては、案内レール２０に対応する３つの膨出部３４が等間隔に設けられる。閉塞蓋３０を基体１０に挿通し回動させた状態において、膨出部３４が案内レール２０上を摺動して移動できるようになっている。
【００２８】
また、閉塞部３２の前面側には、指掛かりの為のリブ３５が等間隔に設けられ、特定のリブ３５の間には開閉等の目盛りを表示する表示部３６が設けられる。また、筒状部３１の外周面から突出し、後面側に位置する閉塞部３２の周面は、後述するリング部材４０を押圧する押圧部３７とされる。
【００２９】
リング部材４０は、例えば弾性ゴム等からなり、環状に形成される。リング部材４０は、基体１０における環状部１３に配置される。本実施例においては、断面略Ｖ字状のものを採用するが、合成樹脂性、断面略円形状等の材質、形状が制限されるものではない。
【００３０】
このようにして構成されるスリーブ装置は、基体１０の内側に閉塞蓋３０を挿通し、閉塞蓋３０を時計回り（閉方向）に回動させることにより掛止され、一体とされる。また、閉塞蓋３０を反時計回り（開方向）に回動させることにより当該掛止を解除し、基体１０から閉塞蓋３０を分離することができる。以下に、基体１０に対する閉塞蓋３０の開閉について図７から図１０に基づいて説明する。
【００３１】
図７は、スリーブ装置の閉塞蓋を全閉した状態説明図である。当該全閉状態においては、同図（ａ）に示すように、閉塞蓋３０は表示部３６が上側に位置して掛止される。そして、同図（ｂ）に示すように、基体１０と閉塞蓋３０は、掛止手段となる案内レール２０及び膨出部３４によって掛止され、閉塞蓋３０が室内側である前面側へ移動するのを規制している。
【００３２】
具体的には、案内レール２０の収容部２５に閉塞蓋３０の膨出部３４が位置した状態となり、膨出部３４が掛止面２６と当接することで閉塞蓋３０が前面側へ移動するのを規制している。
【００３３】
また、同状態において、リング部材４０は、閉塞蓋３０の押圧部３７により環状部１３側へ押圧されるので、弾性変形した状態となる。これにより、リング部材４０の前面方向への復元力が作用し、強制的に膨出部３４を掛止面２６に当接させることができ、不用意な閉塞蓋３０の回動を防止することができる。
【００３４】
更に、閉塞蓋３０の鍔部３３は、基体１０の鍔部１４を覆設し、且つ、鍔部１４との間に段差ｔを有するように設けられる。これにより、長期に亘り未使用であった閉塞蓋３０を基体１０に取り付けた際であっても、基体１０との配色が相違することもなくなり、室内におけるデザイン性を損なうこともない。また、閉塞蓋３０の開閉によっても、鍔部３３が壁面Ｗに当接しない為、壁面Ｗを傷つけることもなくなる。
【００３５】
次に、閉塞蓋３０を反時計回り（開方向）に回動させた状態について、図８に基づいて説明する。図８は、スリーブ装置の閉塞体３０を３０度回動させた状態説明図である。当該状態においては、閉塞蓋３０の回動により、案内レール２０及び膨出部３４の掛止が解除され、膨出部３４は隣接する案内レール２０の傾斜部２１へと移動する。
【００３６】
具体的には、同図（ｂ）に示すように、隣接する案内レール２０における傾斜部２１の始端は、収容部２５との間に膨出部３４が移動できる経路を確保した状態で設けられている。これにより、閉塞蓋３０の回動によって、膨出部３４が収容部２５から周方向に移動すると、隣接する案内レール２０の傾斜部２１上を強制的に摺動することができるようになる。隣接する傾斜部２１の始端は、上記に限られず、収容部２５の後面側に位置してもよいし、閉塞蓋３０の回動により収容部２５から周方向に移動した膨出部３４を強制的に誘導できる位置にあればよい趣旨である。
【００３７】
次に、更に閉塞蓋３０を反時計回り（開方向）に回動させた状態について、図９に基づいて説明する。図９は、スリーブ装置の閉塞体３０を６０度回動させた状態説明図である。当該状態においては、閉塞蓋３０の回動により、膨出部３４は案内レール２０の傾斜部２１上を摺動し、閉塞蓋３０が前面側へ移動する。
【００３８】
最後に、閉塞蓋３０を回動停止位置まで反時計回り（開方向）に回動させた状態について、図１０に基づいて説明する。図１０は、スリーブ装置の閉塞体３０を全開した状態説明図である。当該状態においては、閉塞蓋３０の回動により、膨出部３４が平坦部２２上を摺動し、第１突起部２３と当接する。また、閉塞蓋３０は、図９よりも更に前面側へ移動した状態となる。膨出部３４が第１突起部２３と当接する位置は、閉塞蓋３０の開状態の回動停止位置とされる。
【００３９】
また、閉塞蓋３０を基体１０の内側に挿通し、閉塞蓋３０を時計回り（閉方向）に回動させることにより、分離した閉塞蓋３０を掛止させることができる。具体的には、図７に示すように、閉塞蓋３０の回動により膨出部３４を収容部２５の近郊まで移動させる。
【００４０】
そして、閉塞蓋３０の押圧部３７でリング部材４０を環状部１３側へ押圧し弾性変形させながら、膨出部３４を第２突起部２４に当接するまで回動させる。膨出部３４が第２突起部２４と当接する位置は、閉塞蓋３０における閉状態の回動停止位置とされる。これにより、案内レール２０の収容部２５に閉塞蓋３０の膨出部３４が位置した状態となり、案内レール２０によって膨出部３４が掛止され、閉塞蓋３０が室内側である前面側へ移動するのを規制する。スリーブ装置の使用者は、閉塞蓋３０を閉状態の回動停止位置まで回動させることで、閉塞蓋３０の閉状態を確認することができる。
【００４１】
以上、説明した本発明に係るスリーブ装置によれば、基体１０における案内レール２０に閉塞蓋３０を前面側へ移動させるレール部を設け、閉塞蓋３０を回動させることにより、閉塞蓋３０の膨出部３４を摺動させることで、基体１０に対して閉塞蓋３０を前後方向へ可動させるので、使用者は目視で確認しながら容易に作業を行うことができる。
【００４２】
また、案内レール２０は、閉塞蓋３０の膨出部３４が当接する第１突起部２３及び第２突起部２４を有することから、使用者は閉塞蓋３０における開状態及び閉状態の回動停止位置を確認することができる。
【００４３】
そして、基体１０の案内レール２０と閉塞蓋３０の膨出部３４によって、両者を掛止することから、従来の螺合によって着脱させるものと比較して、閉塞蓋３０の回動範囲を少なくすることができるとともに、表示部３６を常時所定位置に配置させることができる。
【００４４】
当該発明は、上述の実施形態の構成に限定されるものではなく、形状、寸法、材質等を適宜変更して実施することが可能である。例えば、案内レール２０は、レール部における前面側の周面で閉塞蓋３０の膨出部３４を摺動させ、レール部における後面側の周面で閉塞蓋３０の膨出部３４と当接させることができればよい趣旨である。また、一部構成を省略することができるし、一部抽出した構成とすることができるのは勿論である。
【符号の説明】
【００４５】
１０    基体
１１    筒状体
１３    環状部
１４    鍔部
２０    案内レール
２１    傾斜部
２３    第１突起部
２４    第２突起部
２６    掛止面
３０    閉塞蓋
３３    鍔部
３４    膨出部
４０    リング部材
【図１】
2013217417.tif 000003
【図２】
2013217417.tif 000004
【図３】
2013217417.tif 000005
【図４】
2013217417.tif 000006
【図５】
2013217417.tif 000007
【図６】
2013217417.tif 000008
【図７】
2013217417.tif 000009
【図８】
2013217417.tif 000010
【図９】
2013217417.tif 000011
【図１０】
2013217417.tif 000012